(57)【要約】【課題】  １個のアンテナエレメント（例えば励振器，無給電素子など）を２種類の波長の電波に共振させて、デュアル性能のマイクロアンテナを構成する。【解決手段】  １個の励振器本体１に対して、その片方の面をアンテナ側誘電体３Ａで覆うとともに、他方の面は一部分をグランド側誘電体３Ｇで覆う。これにより、前記１個の励振器本体１が低い方の周波数の電波に対しても、高い方の周波数の電波に対しても共振するようになり、アンテナ装置の構成部品点数が少なくなる。その結果、アンテナ装置全体として超小型軽量のデュアルアンテナが得られる。【選択図】  図２
2005303849.tif 000002
【特許請求の範囲】
【請求項１】
デュアルバンドのマイクロアンテナを形成するための励振器を構成する方法において、
長さを有する平板状の導電性材料から成る励振器本体（１）の給電端を高周波回路（２）に接続し、
上記励振器本体の片方の面をアンテナ側誘電体（３Ａ）に接せしめるとともに、他方の面を思考的に二つの区域に分けて、
給電端に近い区域はグランド側誘電体（３Ｇ）に接せしめることにより、該区域においては励振器本体（１）をアンテナ側誘電体（３Ａ）とグランド側誘電体（３Ｇ）との間に挟みつけ、
該他方の面の給電端から遠い区域は、空気に露出させ、
この励振器本体（１）を、高い周波数の電波に対して３／４波長で共振させるとともに、低い周波数の電波に対して１／４波長で共振させることを特徴とする、アンテナエレメントの構成方法。
【請求項２】
デュアルバンドのマイクロアンテナを形成するための励振器を構成する方法において、
長さを有する平板状の導電性材料から成る励振器本体（１）の給電端を高周波回路（２）に接続し、
該励振器本体を、その長さ方向について思考的に三つの区域に分け、
給電端に近い区域は、励振器本体の特定の片方の面をグランド側誘電体（３Ｇ）に接せしめるとともに、他方の面は空気に露出させ、
給電端の反対側の区域は、励振器本体の上記片方の面を空気に露出させるとともに、他方の面を先端側誘電体（３Ｔ）に接せしめ、
上記２区域の中間の区域は、励振器本体をグランド側誘電体（３Ｇ）と先端側誘電体（３Ｔ）との間に挟みつけることにより、
この励振器本体（１）を、高い周波数の電波に対して３／４波長で共振させるとともに、低い周波数の電波に対して１／４波長で共振させることを特徴とする、アンテナエレメントの構成方法。
【請求項３】
デュアルバンドのマイクロアンテナの構成部材である励振器もしくは無給電素子を構成する方法において、
平板状の導電性材料から成る励振器本体（１）の給電端を高周波回路（２）に接続するとともに、
この励振器本体の何れか片方の面の大部分を、「低い周波数の電波に対して高い誘電率を示し、低い周波数の電波に対して高い誘電率を示す可変誘電体（９）」で覆い、
上記片方の面の反対側の面の大部分を空気に露出せしめることにより、
低い周波数と高い周波数との両方に共振させることを特徴とする、アンテナエレメントの構成方法。
【請求項４】
デュアルバンドのマイクロアンテナを形成するための無給電素子を構成する方法において、
長さを有する平板状の導電性材料から成る無給電素子本体（５）の片方の端を接地し、
上記無給電素子本体の片方の面を素子側誘電体（６Ｅ）に接せしめるとともに、他方の面を思考的に二つの区域に分けて、
接地側の区域はグランド側誘電体（６Ｇ）に接せしめることにより、該区域においては無給電素子本体（５）を素子側誘電体（６Ｅ）とグランド側誘電体（６Ｇ）との間に挟みつけ、
該他方の面の給電端から遠い区域は、空気に露出させ、
この無給電素子本体（５）を、高い周波数の電波に対して３／４波長で共振させるとともに、低い周波数の電波に対して１／４波長で共振させることを特徴とする、アンテナエレメントの構成方法。
【請求項５】
デュアルバンドのマイクロアンテナを形成するための無給電素子を構成する方法において、
長さを有する平板状の導電性材料から成る無給電素子本体（５）の片方の端を接地し、
該無給電素子本体を、その長さ方向について思考的に三つの区域に分け、
接地端に近い区域は、無給電素子本体の特定の片方の面をグランド側誘電体（３Ｇ）に接せしめるとともに、他方の面は空気に露出させ、
接地端の反対側の区域は、無給電素子本体の上記片方の面を空気に露出させるとともに、他方の面を先端側誘電体（３Ｔ）に接せしめ、
上記２区域の中間の区域は、無給電素子本体をグランド側誘電体（３Ｇ）と先端側誘電体（３Ｔ）との間に挟みつけることにより、
この無給電素子本体（５）を、高い周波数の電波に対して３／４波長で共振させるとともに、低い周波数の電波に対して１／４波長で共振させることを特徴とする、アンテナエレメントの構成方法。
【請求項６】
高い周波数ＦＨの電波と、低い周波数ＦＬの電波とを送受信するデュアルバンドのマイクロアンテナにおいて、
片方の端を高周波回路（２）に接続された平板状の励振器本体（１）と、
上記励振器本体の何れか片方の面を覆うアンテナ側誘電体（３Ａ）と、
該励振器本体の他方の面の、給電点寄りの区域を覆うグランド側誘電体（３Ｇ）と、
片方の端を接地された、周波数ＦＨの電波に共振する高い周波数の無給電素子（４Ｈ）と、
片方の端を接地された、周波数ＦＬの電波に共振する低い周波数の無給電素子（４Ｌ）とを具備し、
前記励振器本体（１）の開放端と高い周波数の無給電素子（４Ｈ）の開放端との間に結合静電容量ｃが形成されるとともに、
前記励振器本体（１）の開放端と低い周波数の無給電素子（４Ｌ）の開放端との間に結合静電容量ｃが形成されていることを特徴とする、マイクロアンテナデュアル。
【請求項７】
高い周波数ＦＨの電波と、低い周波数ＦＬの電波とを送受信するデュアルバンドのマイクロアンテナにおいて、
片方の端を高周波回路（２）に接続された平板状の励振器本体（１）と、
上記励振器本体の片方の側の面の一部を覆う誘電体（３Ｇ）と、
上記励振器本体の他方の側の面の一部を覆う誘電体（３Ｔ）と、
片方の端を接地された、周波数ＦＨの電波に共振する高い周波数の無給電素子（４Ｈ）と、
片方の端を接地された、周波数ＦＬの電波に共振する低い周波数の無給電素子（４Ｌ）とを具備し、
前記励振器本体（１）の開放端と高い周波数の無給電素子（４Ｈ）の開放端との間に結合静電容量ｃが形成されるとともに、
前記励振器本体（１）の開放端と低い周波数の無給電素子（４Ｌ）の開放端との間に結合静電容量ｃが形成されていることを特徴とする、マイクロアンテナデュアル。  
【請求項８】
高い周波数ＦＨの電波と、低い周波数ＦＬの電波とを送受信するデュアルバンドのマイクロアンテナにおいて、
片方の端を高周波回路（２）に接続された平板状の励振器本体（１）と、
上記励振器本体の片方の側の面の一部を覆う誘電体（３Ｇ）と、
上記励振器本体の他方の側の面の一部を覆う誘電体（３Ｔ）と、
片方の端を接地された平板状の無給電素子本体（５）と、
上記無給電素子本体の片方の側の面の少なくとも一部を覆う誘電体（６Ｅ）と、 
前記無給電素子本体の他方の側の面の一部分を覆う誘電体（６Ｇ）と、を具備し、
かつ、前記励振器本体（１）の開放端と無給電素子本体（５）の開放端との間に結合静電容量ｃが形成されていることを特徴とする、マイクロアンテナデュアル。
【請求項９】
高い周波数ＦＨの電波と、低い周波数ＦＬの電波とを送受信するデュアルバンドのマイクロアンテナにおいて、
直方体もしくは直方体に類似する形状の誘電体ブロック（７）を有し、
上記誘電体部ブロックの底面と側面と頂面とに接せしめて配置された折り曲げ平板状の励振器本体（１）と、
前記誘電体ブロックの端面と頂面とに接せしめて配置された折り曲げ平板状の、高い周波数ＦＨの電波に共振する無給電素子（４Ｈ）と、
前記誘電体ブロックの側面と頂面とに接せしめて配置された折り曲げ平板状の、低い周波数ＦＬの電波に共振する無給電素子（４Ｌ）とから成り、
高い周波数の電波に共振する無給電素子（４Ｈ）の「誘電体ブロックの端面もしくは側面に接している部分」の底面付近が接地されるとともに、
低い周波数の電波に共振する無給電素子（４Ｌ）の「誘電体ブロックの側面もしくは端面に接している部分」の底面付近が接地されており、
高い周波数の電波に共振する無給電素子（４Ｈ）の「誘電体ブロックの頂面に接している部分」と、励振器本体（１）の「誘電体ブロックの頂面に接している部分」との間に静電結合容量ｃが構成されるとともに、            
低い周波数の電波に共振する無給電素子（４Ｌ）の「誘電体ブロックの頂面に接している部分」と、励振器本体（１）の「誘電体ブロックの頂面に接している部分」との間に静電結合容量ｃが構成されていることを特徴とする、マイクロアンテナデュアル。
【請求項１０】
高い周波数ＦＨの電波と、低い周波数ＦＬの電波とを送受信するデュアルバンドのマイクロアンテナにおいて、
直方体もしくは直方体に類似する形状の誘電体ブロック（７）を有するとともに
上記誘電体ブロックに半ば埋設された折り曲げ平板状の励振器本体（１）と、
誘電体ブロックに半ば埋設された折り曲げ平板状の無給電素子本体（５）とを具備し、
前記励振器本体（１）は、その片面が誘電体ブロックに接するとともに他方の面が空気に露出している部分（１Ｓおよび１Ｓ´）と、その両面が誘電体ブロックに接している部分（１Ｗおよび１Ｗ´）とから成り、
前記無給電素子本体（５）は、その片面が誘電体ブロックに接するとともに他方の面が空気に露出している部分（５Ｓ）と、その両面が誘電体ブロックに接している部分（５Ｗ）とから成っており、
かつ、前記励振器本体（１）の一端と無給電素子本体（５）の一端とが対向して静電結合容量ｃを構成していて、
該励振器本体（１）の他端が高周波回路（２）に接続され得るようになっており、無給電素子本体（５）の他端は接地され得るようになっていることを特徴とする、マイクロアンテナデュアル。
【請求項１１】
請求項９に記載したマイクロアンテナデュアル、もしくは請求項１０に記載したマイクロアンテナデュアルの誘電体ブロック（７）に取付板（１２）が装着されるとともに、
該マイクロアンテナデュアルの励振器本体（１）に同軸ケーブル（１１）が接続されて、一個の独立したアッセンブリ部品を形成していることを特徴とする、マイクロアンテナデュアル。
【発明の詳細な説明】
【技術分野】
【０００１】
本発明は、デュアルバンドのマイクロアンテナ、および、該デュアルバンドマイクロアンテナを形成するアンテナエレメントの構成方法に関するものであって、ＧＨｚ帯の電波を送受信する場合に有効な技術である。
【背景技術】
【０００２】
移動式電話機の発達に伴って、ＧＨｚ帯の電波を送受信するアンテナを小形軽量化するため、種々の技術が提案されている。
小型軽量で高性能のアンテナを構成するため、電気的長さ１／４波長の励振器と電気的長さ１／４または３／４波長のアンテナエレメントとを静電容量を介して結合させる技術が公知である。
上記アンテナエレメントとして、ロッド形、ヘリカル形、短冊状などが広く用いられている。また、スロット形のボウタイアンテナも実用に供されている。
【特許文献１】特開２００２−１４４２１３号公報
【発明の開示】
【発明が解決しようとする課題】
【０００３】
無線ＬＡＮ（ローカルエリア・ネットワーク）においても、小型軽量のアンテナが望まれる。
ところが、我が国で使用される無線ＬＡＮ用電波の周波数帯は２．４ＧＨｚ帯と５ＧＨｚ帯とが主流であるため、これらに対応するため２種類の波長の電波を送受信し得るデュアルバンドのマイクロアンテナが必要になる。
本発明は、上記の事情に鑑みて為されたものであって、その目的とするところは、２種類の波長（周波数）の電波を送受信し得るマイクロアンテナデュアルを提供して、電子機器産業の発展に寄与するにある。
【課題を解決するための手段】
【０００４】
請求項１に係る発明方法の構成は、（図２（Ａ）参照）デュアルバンドのマイクロアンテナを形成するための励振器を構成する方法において、
長さを有する平板状の導電性材料から成る励振器本体（１）の給電端を高周波回路（２）に接続し、
上記励振器本体の片方の面（本図２（Ａ）において下方の面）をアンテナ側誘電体（３Ａ）に接せしめるとともに、他方の面を思考的に二つの区域に分けて、
給電端に近い区域（本図において左半部）はグランド側誘電体（３Ｇ）に接せしめることにより、該区域においては励振器本体（１）をアンテナ側誘電体（３Ａ）とグランド側誘電体（３Ｇ）との間に挟みつけ、
該他方の面（下面）の給電端から遠い区域（右半部）は、空気に露出させ、
この励振器本体（１）を、高い周波数の電波に対して３／４波長で共振（符号ＦＨ参照）させるとともに、低い周波数の電波に対して１／４波長で共振（符号ＦＬ）させることを特徴とする。
【０００５】
以上に説明した請求項１の発明方法によると、きわめて簡単な構造（平板状）の励振器本体を用い、誘電体を関与させることによって二通りの共振状態を現出させ、
一個の励振器本体によって２種類の波長の電波に対応できる。
その結果、本請求項１を適用して、マイクロアンテナデュアルの構成部品点数を減少させ、該マイクロアンテナデュアルを小型軽量化することができる。  
【０００６】
請求項２に係る発明方法の構成は、（図４参照）デュアルバンドのマイクロアンテナを形成するための励振器を構成する方法において、
長さを有する平板状の導電性材料から成る励振器本体（１）の給電端を高周波回路（２）に接続し、
該励振器本体を、その長さ方向について思考的に三つの区域に分け、
給電端に近い区域は、励振器本体の特定の片方の面をグランド側誘電体（３Ｇ）に接せしめるとともに、他方の面は空気に露出させ、
給電端の反対側の区域は、励振器本体の上記片方の面を空気に露出させるとともに、他方の面を先端側誘電体（３Ｔ）に接せしめ、
上記２区域の中間の区域は、励振器本体をグランド側誘電体（３Ｇ）と先端側誘電体（３Ｔ）との間に挟みつけることにより、
この励振器本体（１）を、高い周波数の電波に対して３／４波長で共振させるとともに、低い周波数の電波に対して１／４波長で共振させることを特徴とする。
【０００７】
以上に説明した請求項２の発明方法によっても、請求項１におけると同様に、きわめて簡単な構造（平板状）の励振器本体を用い、誘電体を関与させることによって二通りの共振状態を現出させ、
一個の励振器本体によって２種類の波長の電波に対応できる。
その結果、本請求項２を適用して、マイクロアンテナデュアルの構成部品点数を減少させ、該マイクロアンテナデュアルを小型軽量化することができる。                    
【０００８】
請求項３に係る発明方法の構成は、（図６（Ａ）参照）デュアルバンドのマイクロアンテナの構成部材である励振器もしくは無給電素子を構成する方法において、
平板状の導電性材料から成る励振器本体（１）の給電端を高周波回路（２）に接続するとともに、
この励振器本体の何れか片方の面の大部分を、「低い周波数の電波に対して高い誘電率を示し、低い周波数の電波に対して高い誘電率を示す可変誘電体（９）」で覆い、
上記片方の面の反対側の面の大部分を空気に露出せしめることにより、
低い周波数と高い周波数との両方に共振させることを特徴とする。
【０００９】
以上に説明した請求項３の発明方法によると、周波数によって誘電率を変化させる特殊な誘電体を関与させることによって、きわめて簡単な構造（平板状）の励振器本体を用いて、二通りの共振状態を現出させ、
一個の励振器本体によって２種類の波長の電波に対応できる。
その結果、本請求項３を適用して、マイクロアンテナデュアルの構成部品点数を減少させ、該マイクロアンテナデュアルを小型軽量化することができる。                    
【００１０】
請求項４に係る発明方法の構成は、（図３（Ｂ）参照）デュアルバンドのマイクロアンテナを形成するための無給電素子を構成する方法において、
長さを有する平板状の導電性材料から成る無給電素子本体（５）の片方の端を接地し、
上記無給電素子本体の片方の面を素子側誘電体（６Ｅ）に接せしめるとともに、他方の面を思考的に二つの区域に分けて、
接地側の区域はグランド側誘電体（６Ｇ）に接せしめることにより、該区域においては無給電素子本体（５）を素子側誘電体（６Ｅ）とグランド側誘電体（６Ｇ）との間に挟みつけ、
該他方の面の給電端から遠い区域は、空気に露出させ、
この無給電素子本体（５）を、高い周波数の電波に対して３／４波長で共振させるとともに、低い周波数の電波に対して１／４波長で共振させることを特徴とする。
【００１１】
以上に説明した請求項４の発明方法によると、きわめて簡単な構造（平板状）の無給電素子本体を用い、部分的に誘電体を関与させることによって二通りの共振状態を現出させ、一個の無給電素子本体によって２種類の波長の電波に対応できる。
すなわち、従来技術におけるデュアルアンテナに必要とされた２個のアンテナエレメントに代えて、１個の無給電素子で足りる。
その結果、本請求項４を適用してマイクロアンテナデュアルの構成部品点数を減少させ、該マイクロアンテナデュアルを小型軽量化することができる。                  
【００１２】
請求項５に係る発明方法の構成は、（図５（Ｃ）参照）デュアルバンドのマイクロアンテナを形成するための無給電素子を構成する方法において、
長さを有する平板状の導電性材料から成る無給電素子本体（５）の片方の端を接地し、
該無給電素子本体を、その長さ方向について思考的に三つの区域に分け、
接地端に近い区域は、無給電素子本体の特定の片方の面をグランド側誘電体（３Ｇ）に接せしめるとともに、他方の面は空気に露出させ、
接地端の反対側の区域は、無給電素子本体の上記片方の面を空気に露出させるとともに、他方の面を先端側誘電体（３Ｔ）に接せしめ、
上記２区域の中間の区域は、無給電素子本体をグランド側誘電体（３Ｇ）と先端側誘電体（３Ｔ）との間に挟みつけることにより、
この無給電素子本体（５）を、高い周波数の電波に対して３／４波長で共振させるとともに、低い周波数の電波に対して１／４波長で共振させることを特徴とする。
【００１３】
以上に説明した請求項５の発明方法によっても、請求項４におけると同様に、きわめて簡単な構造（平板状）の無給電素子本体を用い、部分的に誘電体を関与させることによって二通りの共振状態を現出させ、一個の無給電素子本体によって２種類の波長の電波に対応できる。
すなわち、従来技術におけるデュアルアンテナに必要とされた２個のアンテナエレメントに代えて、１個の無給電素子で足りる。
その結果、本請求項５を適用してマイクロアンテナデュアルの構成部品点数を減少させ、該マイクロアンテナデュアルを小型軽量化することができる。                    
【００１４】
請求項６に係る発明装置の構成は、（図２（Ｂ）参照）高い周波数ＦＨの電波と、低い周波数ＦＬの電波とを送受信するデュアルバンドのマイクロアンテナにおいて、
片方の端を高周波回路（２）に接続された平板状の励振器本体（１）と、
上記励振器本体の何れか片方の面を覆うアンテナ側誘電体（３Ａ）と、
該励振器本体の他方の面の、給電点寄りの区域を覆うグランド側誘電体（３Ｇ）と、
片方の端を接地された、周波数ＦＨの電波に共振する高い周波数の無給電素子（４Ｈ）と、
片方の端を接地された、周波数ＦＬの電波に共振する低い周波数の無給電素子（４Ｌ）とを具備し、
前記励振器本体（１）の開放端と高い周波数の無給電素子（４Ｈ）の開放端との間に結合静電容量ｃが形成されるとともに、
前記励振器本体（１）の開放端と低い周波数の無給電素子（４Ｌ）の開放端との間に結合静電容量ｃが形成されていることを特徴とする。
【００１５】
以上に説明した請求項６の発明装置によると、１個の励振器本体によって高低２種類の波長の電波に共振させることができるので、
該１個の励振器本体と、高い周波数用の無給電素子とによって、高い周波数の電波を送受信し、
かつ、上記１個の励振器本体を兼用して、これと低い周波数用の無給電素子とによって低い周波数の電波を送受信して、デュアルアンテナとして機能せしめることができる。
従来技術のデュアルアンテナにおいて必要とされた２個の励振器に代えて、「部分的に誘電体を関与させた１個の励振器本体」で足りるので、アンテナ装置全体を小型軽量化することができる。                    
【００１６】
請求項７に係る発明装置の構成は、（図５（Ａ）参照）高い周波数ＦＨの電波と、低い周波数ＦＬの電波とを送受信するデュアルバンドのマイクロアンテナにおいて、
片方の端を高周波回路（２）に接続された平板状の励振器本体（１）と、
上記励振器本体の片方の側の面の一部を覆う誘電体（３Ｇ）と、
上記励振器本体の他方の側の面の一部を覆う誘電体（３Ｔ）と、
片方の端を接地された、周波数ＦＨの電波に共振する高い周波数の無給電素子（４Ｈ）と、
片方の端を接地された、周波数ＦＬの電波に共振する低い周波数の無給電素子（４Ｌ）とを具備し、
前記励振器本体（１）の開放端と高い周波数の無給電素子（４Ｈ）の開放端との間に結合静電容量ｃが形成されるとともに、
前記励振器本体（１）の開放端と低い周波数の無給電素子（４Ｌ）の開放端との間に結合静電容量ｃが形成されていることを特徴とする。
【００１７】
以上に説明した請求項７の発明装置によっても、請求項６におけると同様に、１個の励振器本体によって高低２種類の波長の電波に共振させることができるので、
該１個の励振器本体と、高い周波数用の無給電素子とによって、高い周波数の電波を送受信し、
かつ、上記１個の励振器本体を兼用して、これと低い周波数用の無給電素子とによって低い周波数の電波を送受信して、デュアルアンテナとして機能せしめることができる。
このようにして「部分的に誘電体を関与させた１個の励振器本体」で足りるので、アンテナ装置全体を小型軽量化することができる。                    
【００１８】
請求項８に係る発明装置装置の構成は、（図５（Ｂ）参照）高い周波数ＦＨの電波と、低い周波数ＦＬの電波とを送受信するデュアルバンドのマイクロアンテナにおいて、
片方の端を高周波回路（２）に接続された平板状の励振器本体（１）と、
上記励振器本体の片方の側の面の一部を覆う誘電体（３Ｇ）と、
上記励振器本体の他方の側の面の一部を覆う誘電体（３Ｔ）と、
片方の端を接地された平板状の無給電素子本体（５）と、
上記無給電素子本体の片方の側の面の少なくとも一部を覆う誘電体（６Ｅ）と、 
前記無給電素子本体の他方の側の面の一部分を覆う誘電体（６Ｇ）と、を具備し、
かつ、前記励振器本体（１）の開放端と無給電素子本体（５）の開放端との間に結合静電容量ｃが形成されていることを特徴とする。
【００１９】
以上に説明した請求項８の発明装置によると、きわめて簡単な構造（平板状）の１個の励振器本体および１個の無給電素子本体を用い、それぞれ部分的に誘電体を関与させることにより、高い周波数の電波と低い周波数の電波とに共振させて、デュアルアンテナとして機能せしめることができる。
本請求項８を適用することにより、１個の励振器本体と１個の無給電素子本体とで足りるので、該デュアルアンテナの構成部品点数を減少させ、小型軽量化およびコスト低減に有効である。
【００２０】
請求項９に係る発明装置の構成は、（図１参照）高い周波数ＦＨの電波と、低い周波数ＦＬの電波とを送受信するデュアルバンドのマイクロアンテナにおいて、
直方体もしくは直方体に類似する形状の誘電体ブロック（７）を有し、
上記誘電体部ブロックの底面と側面と頂面とに接せしめて配置された折り曲げ平板状の励振器本体（１）と、（頂面、底面、側面、端面の区別については図１（Ｂ）参照）
前記誘電体ブロックの端面と頂面とに接せしめて配置された折り曲げ平板状の、高い周波数ＦＨの電波に共振する無給電素子（４Ｈ）と、
前記誘電体ブロックの側面と頂面とに接せしめて配置された折り曲げ平板状の、低い周波数ＦＬの電波に共振する無給電素子（４Ｌ）とから成り、
高い周波数の電波に共振する無給電素子（４Ｈ）の「誘電体ブロックの端面もしくは側面に接している部分」の底面付近が接地されるとともに、
低い周波数の電波に共振する無給電素子（４Ｌ）の「誘電体ブロックの側面もしくは端面に接している部分」の底面付近が接地されており、
高い周波数の電波に共振する無給電素子（４Ｈ）の「誘電体ブロックの頂面に接している部分」と、励振器本体（１）の「誘電体ブロックの頂面に接している部分」との間に静電結合容量ｃが構成されるとともに、            
低い周波数の電波に共振する無給電素子（４Ｌ）の「誘電体ブロックの頂面に接している部分」と、励振器本体（１）の「誘電体ブロックの頂面に接している部分」との間に静電結合容量ｃが構成されていることを特徴とする。
【００２１】
以上に説明した請求項９の発明装置によると、１個の誘電体ブロックを用いて、１個の励振器本体に対する「誘電体の部分的関与」を現出させ、上記１個の励振器本体をして高低２種類の周波数の電波に共振させることができる。
その結果、１個の誘電体ブロックが、１個の励振器本体と２個の無給電素子とを機械的に支持し、これらのアンテナエレメントの相対的な位置を固定して纏まったアンテナ装置を形成する。
上述のごとく、誘電体ブロックが励振器本体および無給電素子を支持するので、これらのアンテナエレメント自体を薄板で構成しても機械的強度が得られ、実用に耐える。
さらに、前記の誘電体ブロックを基板材料で形成するとともに、励振器本体および無給電素子を導通パターンで構成することも容易に可能である。このように構成することによって、工業的に大量生産するに適し、高品質で均一な製品を低コストで供給して電子機器産業に貢献することができる。                
【００２２】
請求項１０に係る発明装置の構成は、（図８参照）高い周波数ＦＨの電波と、低い周波数ＦＬの電波とを送受信するデュアルバンドのマイクロアンテナにおいて、
直方体もしくは直方体に類似する形状の誘電体ブロック（７）を有するとともに
上記誘電体ブロックに半ば埋設された折り曲げ平板状の励振器本体（１）と、
誘電体ブロックに半ば埋設された折り曲げ平板状の無給電素子本体（５）とを具備し、
前記励振器本体（１）は、その片面が誘電体ブロックに接するとともに他方の面が空気に露出している部分（１Ｓ）と、その両面が誘電体ブロックに接している部分（１Ｗ）と
から成り、
前記無給電素子本体（５）は、その片面が誘電体ブロックに接するとともに他方の面が空気に露出している部分（５Ｓ）と、その両面が誘電体ブロックに接している部分（５Ｗ）とから成っており、
かつ、前記励振器本体（１）の一端と無給電素子本体（５）の一端とが対向して静電結合容量ｃを構成していて、
該励振器本体（１）の他端が高周波回路（２）に接続され得るようになっており、無給電素子本体（５）の他端は接地され得るようになっていることを特徴とする。
【００２３】
以上に説明した請求項１０の発明装置によっても、請求項９におけると同様に１個の誘電体ブロックを用いて、１個の励振器本体に対する「誘電体の部分的関与」を現出させ、上記１個の励振器本体をして高低２種類の周波数の電波に共振させることができるが、
請求項９におけるよりも「励振器本体および無給電素子のそれぞれに対する誘電体の部分的関与状態を複雑に構成することが容易である。すなわち、これらのアンテナエレメントの１部分を誘電体に接せしめるとともに、他の１部分を誘電体の中に挟み込むことが容易である。誘電体の関与を複雑にすることによって、与えられた２種類の周波数の電波に対応させるための設計的自由度が大きい。
さらに、１個の誘電体ブロックが、１個の励振器本体と２個の無給電素子とを機械的に支持し、これらのアンテナエレメントの相対的な位置を固定して纏まったアンテナ装置を形成する。
上述のごとく、誘電体ブロックが励振器本体および無給電素子を支持するので、これらのアンテナエレメント自体を薄板で構成しても機械的強度が得られ、実用に耐える。
さらに、前記の誘電体ブロックを基板材料で形成するとともに、励振器本体および無給電素子を導通パターンで構成することも容易に可能である。このように構成することによって、工業的に大量生産するに適し、高品質で均一な製品を低コストで供給して電子機器産業に貢献することができる。                
【００２４】
請求項１１に係る発明装置の構成は、（図９参照）請求項９に記載したマイクロアンテナデュアル、もしくは請求項１０に記載したマイクロアンテナデュアルの誘電体ブロック（７）に取付板（１２）が装着されるとともに、
該マイクロアンテナデュアルの励振器本体（１）に同軸ケーブル（１１）が接続されて、一個の独立したアッセンブリ部品を形成していることを特徴とする
【００２５】
以上に説明した請求項１１の発明装置の発明装置によると、本発明に係るマイクロアンテナデュアルが一つの纏まったアッセンンブリ部品となり、取り扱いが容易である。
すなわち、取付板が設けられているので、これを無線機器の回路基板に装着する作業が迅速容易に遂行され、
かつ、同軸ケーブルを具備しているので、このアンテナアッセンンブリを通信機の高周波回路に対して電気的に接続する作業が容易である。
特に、このように１個のアッセンンブリを成しているので、商品として市場流通性を有し、アンテナ産業をして通信機製造から分業化させ、その独立性を高める。
その結果、通信機メーカーは、アンテナ専門メーカーから高品質低価格のマイクロアンテナデュアルの供給を受けることができ、通信機産業の発達が促進される。  
【発明の効果】
【００２６】
請求項１の発明方法によると、きわめて簡単な構造（平板状）の励振器本体を用い、誘電体を関与させることによって二通りの共振状態を現出させ、
一個の励振器本体によって２種類の波長の電波に対応できる。
その結果、本請求項１を適用して、マイクロアンテナデュアルの構成部品点数を減少させ、該マイクロアンテナデュアルを小型軽量化することができる。
【００２７】
請求項２の発明方法によっても、請求項１におけると同様に、きわめて簡単な構造（平板状）の励振器本体を用い、誘電体を関与させることによって二通りの共振状態を現出させ、
一個の励振器本体によって２種類の波長の電波に対応できる。
その結果、本請求項２を適用して、マイクロアンテナデュアルの構成部品点数を減少させ、該マイクロアンテナデュアルを小型軽量化することができる
【００２８】
請求項３の発明方法によると、周波数によって誘電率を変化させる特殊な誘電体を関与させることによって、きわめて簡単な構造（平板状）の励振器本体を用いて、二通りの共振状態を現出させ、
一個の励振器本体によって２種類の波長の電波に対応できる。
その結果、本請求項３を適用して、マイクロアンテナデュアルの構成部品点数を減少させ、該マイクロアンテナデュアルを小型軽量化することができる。
【００２９】
請求項４の発明方法によると、きわめて簡単な構造（平板状）の無給電素子本体を用い、部分的に誘電体を関与させることによって二通りの共振状態を現出させ、一個の無給電素子本体によって２種類の波長の電波に対応できる。
すなわち、従来技術におけるデュアルアンテナに必要とされた２個のアンテナエレメントに代えて、１個の無給電素子で足りる。
その結果、本請求項４を適用してマイクロアンテナデュアルの構成部品点数を減少させ、該マイクロアンテナデュアルを小型軽量化することができる。
【００３０】
請求項５の発明方法によっても、請求項４におけると同様に、きわめて簡単な構造（平板状）の無給電素子本体を用い、部分的に誘電体を関与させることによって二通りの共振状態を現出させ、一個の無給電素子本体によって２種類の波長の電波に対応できる。
すなわち、従来技術におけるデュアルアンテナに必要とされた２個のアンテナエレメントに代えて、１個の無給電素子で足りる。
その結果、本請求項５を適用してマイクロアンテナデュアルの構成部品点数を減少させ、該マイクロアンテナデュアルを小型軽量化することができる。
【００３１】
請求項６の発明装置によると、１個の励振器本体によって高低２種類の波長の電波に共振させることができるので、
該１個の励振器本体と、高い周波数用の無給電素子とによって、高い周波数の電波を送受信し、
かつ、上記１個の励振器本体を兼用して、これと低い周波数用の無給電素子とによって低い周波数の電波を送受信して、デュアルアンテナとして機能せしめることができる。
従来技術のデュアルアンテナにおいて必要とされた２個の励振器に代えて、「部分的に誘電体を関与させた１個の励振器本体」で足りるので、アンテナ装置全体を小型軽量化することができる。
【００３２】
請求項７の発明装置によっても、請求項６におけると同様に、１個の励振器本体によって高低２種類の波長の電波に共振させることができるので、
該１個の励振器本体と、高い周波数用の無給電素子とによって、高い周波数の電波を送受信し、
かつ、上記１個の励振器本体を兼用して、これと低い周波数用の無給電素子とによって低い周波数の電波を送受信して、デュアルアンテナとして機能せしめることができる。
従来技術のデュアルアンテナにおいて必要とされた２個の励振器に代えて、「部分的に誘電体を関与させた１個の励振器本体」で足りるので、アンテナ装置全体を小型軽量化することができる。
【００３３】
請求項８の発明装置によると、きわめて簡単な構造（平板状）の１個の励振器本体および１個の無給電素子本体を用い、それぞれ部分的に誘電体を関与させることにより、高い周波数の電波と低い周波数の電波とに共振させて、デュアルアンテナとして機能せしめることができる。
従来技術に係るデュアルアンテナにおいては、２個のアンテナエレメントと１個の励振器とを必要としたが、本請求項８を適用することにより、１個の励振器本体と１個の無給電素子本体とで足りるので、該デュアルアンテナの構成部品点数を減少させ、小型軽量化およびコスト低減に有効である。    
【００３４】
請求項９の発明装置によると、１個の誘電体ブロックを用いて、１個の励振器本体に対する「誘電体の部分的関与」を現出させ、上記１個の励振器本体をして高低２種類の周波数の電波に共振させることができる。
その結果、１個の誘電体ブロックが、１個の励振器本体と２個の無給電素子とを機械的に支持し、これらのアンテナエレメントの相対的な位置を固定して纏まったアンテナ装置を形成する。
上述のごとく、誘電体ブロックが励振器本体および無給電素子を支持するので、これらのアンテナエレメント自体を薄板で構成しても機械的強度が得られ、実用に耐える。
さらに、前記の誘電体ブロックを基板材料で形成するとともに、励振器本体および無給電素子を導通パターンで構成することも容易に可能である。このように構成することによって、工業的に大量生産するに適し、高品質で均一な製品を低コストで供給して電子機器産業に貢献することができる。
【００３５】
請求項１０の発明装置によっても、請求項９におけると同様に１個の誘電体ブロックを用いて、１個の励振器本体に対する「誘電体の部分的関与」を現出させ、上記１個の励振器本体をして高低２種類の周波数の電波に共振させることができるが、
請求項９におけるよりも「励振器本体および無給電素子のそれぞれに対する誘電体の部分的関与状態を複雑に構成することが容易である。すなわち、これらのアンテナエレメントの１部分を誘電体に接せしめるとともに、他の１部分を誘電体の中に挟み込むことが容易である。誘電体の関与を複雑にすることによって、与えられた２種類の周波数の電波に対応させるための設計的自由度が大きい。
さらに、１個の誘電体ブロックが、１個の励振器本体と２個の無給電素子とを機械的に支持し、これらのアンテナエレメントの相対的な位置を固定して纏まったアンテナ装置を形成する。
上述のごとく、誘電体ブロックが励振器本体および無給電素子を支持するので、これらのアンテナエレメント自体を薄板で構成しても機械的強度が得られ、実用に耐える。
さらに、前記の誘電体ブロックを基板材料で形成するとともに、励振器本体および無給電素子を導通パターンで構成することも容易に可能である。このように構成することによって、工業的に大量生産するに適し、高品質で均一な製品を低コストで供給して電子機器産業に貢献することができる。
【００３６】
請求項１１の発明装置によると、本発明に係るマイクロアンテナデュアルが一つの纏まったアッセンンブリ部品となり、取り扱いが容易である。
すなわち、取付板が設けられているので、これを無線機器の回路基板に装着する作業が迅速容易に遂行され、
かつ、同軸ケーブルを具備しているので、このアンテナアッセンンブリを通信機の高周波回路に対して電気的に接続する作業が容易である。
特に、このように１個のアッセンンブリを成しているので、商品として市場流通性を有し、アンテナ産業をして通信機製造から分業化させ、その独立性を高める。
その結果、通信機メーカーは、アンテナ専門メーカーから高品質低価格のマイクロアンテナデュアルの供給を受けることができ、通信機産業の発達が促進される。
【発明を実施するための最良の形態】
【００３７】
本発明者は、アンテナエレメントと誘電体との相互作用について研究し、以下に説明する三つの原理を発見した。を付記した図であって請求項１の発明方法に対応し、（Ｂ）は第１の原理を適用して構成した励振器を用いたデュアルバンドのアンテナ装置の模式図であって請求項６の発明装置に対応する。
符号１を付して示したのは導電性材料の薄板で形成された励振器本体である。本図２は
図２は第１の原理を示し、（Ａ）は模式的な断面正面図に２種類の周波数の電波の定在波模式化して描いてあるので写実的な投影図ではないが、その実体的形状については図１を参照して後に説明する。
（図２（Ａ）参照）励振器本体１が空中に孤立している場合は、その機械的長さと電気的長さとがほぼ等しい。
誘電率が１である物質の中に位置している励振器本体も同様に、機械的長さと電気的長さとがほぼ等しい。本発明において空気とは、誘電率がほぼ１である物質を含むものとする（例えば空気に対して露出するとは、誘電率１の物質に接している意である）。
【００３８】
前記励振器本体１の片方の端を高周波回路２の出力端に接続する。本図２（Ａ）の例では、励振器本体の左端が入力端であり、右端が開放端である。
励振器本体１の片側の面（図において下側の面）のほぼ全部を、誘電体３Ａで覆う。
なお本発明において、アンテナエレメント（例えば励振器本体や無給電素子）を誘電体に「接せしめること」と「誘電体で覆うこと」とは同意である。
この誘電体３Ａは、後に説明する図１の構造との関係から、アンテナ側誘電体と名付ける。同様に、誘電体３Ｇはグランド側誘電体と名付ける。
先に述べたように励振器本体１の片側（下側）の全面をアンテナ側誘電体３Ａで覆ったが、その反対側（上側）の面は、グランド側誘電体３Ｇで全面を覆うことなく、入力端寄りの半分ほどを覆い、開放端側の半分ほどは空気に露出させてある（先に述べたように、誘電率１の材料で覆っても良い）。
【００３９】
ある学説によれば、細長い平板状の部材が誘電率εの誘電体に囲まれているとき、その電気的長さは機械的長さに比して、誘電率εの平方根に反比例して短縮される。
また、片面のみ誘電率εの誘電体に接して、他方の面が空気に露出している場合、その電気的長さは機械的長さに比して、（ε＋１）／２の平方根に反比例して短縮される。
図２（Ａ）のように、入力端側の半分ほどは両面を誘電体で挟み、開放端側の半分ほどは片面のみ誘電体で覆ったとき、
低い周波数の電波を入力されると、符号ＦＬのように１／４波長の定在波が乗り、高い周波数の電波を入力されると、符号ＦＨのように３／４波長の定在波が乗る。
このようにして、１個の励振器本体１がデュアル特性を示す。
【００４０】
図２（Ｂ）に示した励振器本体１は、上述の図２（Ａ）におけると同様の部材である。
誘電体３Ａも誘電体３Ｇも図２（Ａ）と同様である。
高い周波数ＦＨの電波の１／４波長に共振する「高い周波数用の無給電素子４Ｈ」と、低い周波数ＦＬの電波の１／４波長に共振する「低い周波数用の無給電素子４Ｌ」とを設けるとともに、
それぞれの無給電素子の開放端と励振器本体１の開放端との間に静電結合容量ｃを構成する。
これにより、１個の励振器本体を用いてデュアルバンドのアンテナを構成することができる。
【００４１】
図３は、前掲の図２と異なる実施形態を説明するために示したものであって、図３（Ａ）は比較対照のため図２（Ｂ）を再録した図、図３（Ｂ）は模式図であって請求項８の発明装置に対応する。
図３（Ａ）における励振器本体１は、先に図２（Ａ）を参照して説明した第１の原理に基づいて、１個のアンテナエレメントを２種類の周波数に共振させたものである。
第１の原理によって１個の励振器本体をデュアルに作動せしめ得るのならば、同じ原理を利用して１個の無給電素子をデュアルに作動させることもできる筈である、との考えに
よって、図３（Ｂ）は無給電素子本体５の片側の面を素子側誘電体６Ｅで覆うとともに、その他方の面の一部分をグランド側誘電体６Ｇで覆った。
結果的には、図から理解できるように、同様の構成部分を対称に配置して、その１個は１端を高周波回路２に接続し、もう１個は１端を接地したものと見ることができる。励振器本体１の開放端と無給電素子本体５の開放端とを対向させて静電結合容量ｃを構成し、マイクロアンテナデュアルが得られた。
本図３（Ｂ）に付記した符号Ｉｍについては、図５と対比して後に詳しく説明する。
【００４２】
図４は第２の原理を説明するために示したものであって、（Ａ）は基本構造を描いた模式図、（Ｂ）は実体的に描いた断面図、（Ｃ）は断面正面図に２種類の周波数の定在波を付記した図であって請求項５に対応する。 
（図４（Ａ）参照）励振器本体１は導電性の平板状部材である。その一端を高周波回路２に接続する。
該励振器本体１の片側の面（図において下面）の、給電端側の半分ほどをグランド側誘電体３Ｇで覆い、この片方の面の開放端側の約半分を空気に露出させてある（先に定義したように、誘電率がほぼ１の物質に接せしめてもよい）。
そして、この励振器本体１の他方の面（図において上面）の、給電端側の半分ほどを空気に露出させ、この他方の面の開放端側の半分ほどを先端側誘電体３Ｔで覆ってある。
励振器本体１の中央部付近は、グランド側誘電体３Ｇと先端側誘電体３Ｔとで挟みつけられている。
【００４３】
励振器本体１の一部分の片面を誘電体で覆い、一部分は誘電体で挟みつけるという構造は、具体的には本図４（Ｂ）に示したように、折り曲げ平板状の励振器本体１を誘電体ブロック７の中に半ば埋設することによって得られる（後に、図８を参照して詳しく説明する）。
【００４４】
（図４（Ｃ）参照）先に説明したように励振器本体１は、これに接している誘電体の影響を受けるが、接し方が均一でないときは、「励振器本体の機械的長さに対する電気的長さの短縮率」が複雑に変化し、 
低い周波数の電波の１／４波長の定在波ＦＬと、高い周波数の電波の定在波ＦＨの３／４波長とが乗る（このようにして、１個のアンテナエレメントが２種類の波長の電波に共振する現象が、本発明における第２の原理である）。
【００４５】
図５は本発明における第２の原理を適用した実施形態を示し、（Ａ）はこの第２の原理を単独で使用した実施形態の模式図であって請求項７に対応し、（Ｂ）は該第２の原理と「前掲の図２に示した第１の原理」との両方を使用した実施形態の模式図、（Ｃ）は該第２の原理をダブルに使用した実施形態の模式図である。
本図５（Ａ）に示した励振器本体１、グランド側誘電体３Ｇ、および先端側誘電体３Ｔは、前掲の図４（Ａ）に描いた構成部材と同様の部材である。すなわち、第２の原理を適用したデュアルな励振器である。この励振器本体１の開放端に対向せしめて、低い周波数の無給電素子４Ｌと高い周波数の無給電素子４Ｈとが配置され、静電結合容量ｃが形成されている。これにより、マイクロアンテナデュアルが構成される、
【００４６】
本図５（Ｂ）に示した励振器本体１とグランド側誘電体３Ｇと先端側誘電体３Ｔとから成る構成部分は、前記（Ａ）図における励振器の上端部を曲げただけで、本質的に同様の構成部分である。これと対称に配置されている部材は、前掲の図３（Ｂ）における無給電素子本体５、素子側誘電体６Ｅ、およびグランド側誘電体６Ｇと同様の部材である。すなわち、第１の原理を適用して構成したデュアルな無給電素子である。
このように構成すると、２個の小さい組み立て部品によってマイクロアンテナデュアルが構成される。
【００４７】
図５（Ｃ）の左半部は、同図（Ｂ）の左半部と同様である。
図５（Ｃ）の右半部は、それぞれの構成部材の機能に基づいて無給電素子本体５、グランド側誘電体３Ｇ、および先端側誘電体３Ｔと名付けてあるが、同図の左半部と同じ部材を対称に配置したものである。
すなわち、先に述べた第１の原理および第２の原理は、励振器にも無給電素子にも適用することができる。
励振器に、第１の原理による励振器と、第２の原理による励振器との２種類があり、
無給電素子にも、第１の原理による無給電素子と、第２の原理による無給電素子との２種類がある。
これらの組み合わせによって、２×２＝４種類のマイクロアンテナデュアルを構成することができる。
【００４８】
先に説明した図３（Ｂ）の実施形態について、符号Ｉｍを付した部分の誘電体を取り除くと、第２の原理による無給電素子が得られる。この第２の原理による無給電素子を、図３（Ｂ）の左半部に示した「第１の原理による励振器」と組み合わせことによってもマイクロアンテナデュアルが得られる。
【００４９】
図６は第３の原理を説明するために示したもので、（Ａ）は２種類の波長の電波の定在波を付記した励振器の模式的な断面図であって請求項３に対応する。（Ｂ）はこの励振器を用いたデュアルアンテナの模式図である。
誘電体が電波の中に置かれたとき、その周波数によって誘電率が変わる。
例えばガラスエポキシＦＲ―４を１ＭＨｚの周波数で測定すると誘電率４．７程度であるが、１ＧＨｚの周波数で測定すると誘電率４．１程度となる。
このような現象は当業者間で知られてはいたが、未だ、これを積極的に利用して新規な作用効果を得るための技術的創作は為されていなかった。
【００５０】
本発明者は、本図６（Ａ）のように励振器本体１の片方の面を空気に接せしめるとともに、他方の面を「前記のごとく周波によって誘電率が変わる可変誘電体９」で覆って、その電磁気的な挙動を観察した。
上記可変誘電体９の誘電率は、２．４ＧＨｚで３．９であり、５．２ＧＨｚで２．３であった。
そして、高周波回路２から２．４ＧＨｚの高周波を入力すると低い周波数の定在波ＦＬが形成され、５．２ＧＨｚの高周波を入力すると高い周波数の定在波ＦＨが形成された。すなわち、１個の励振器本体１がデュアル性能を示した。
【００５１】
そこで本発明者は本図６（Ｂ）のように、前掲の（Ａ）図におけると同様の『片面を可変誘電体９で覆った励振器本体１』を高周波回路２に接続するとともに、高い周波数の無給電素子４Ｈと低い周波数の無給電素子４Ｌとを配置して静電容量ｃで結合した。これにより、マイクロアンテナデュアル（超小型の２周波アンテナ）が構成された。
本発明における第３の原理によって、図６（Ａ）のようなもっとも簡単なデュアル励振器が得られたのであるから、これを「第１の原理を適用して作成したデュアルな無給電素子」と組み合わせてマイクロアンテナデュアルを構成することもでき、「第２の原理を適用して作成したデュアルな無給電素子」と組み合わせてマイクロアンテナデュアルを構成することもできる。
また、第３の原理を適用してデュアルな無給電素子を構成することもできる。デュアルな１個の励振器と、デュアルな１個の無給電素子との２個の構成部材の組み合わせによって、極限的に簡単な構造のデュアル性能のアンテナが得られる。
【００５２】
以上に、図２〜図６を順次に参照しつつ第１〜第３の原理およびこれらの原理を用いて構成したマイクロアンテナデュアルの模式的な構成を説明した。次に、該マイクロアンテナデュアルの実体的な実施形態を説明する。
図１は本発明の１実施形態を示し、請求項１、請求項６、および請求項９の構成を具体化したものであり、（Ａ）は模式的に描いた斜視図であって請求項１０に対応し、（Ｂ）は誘電体ブロックの面の名称を表す斜視図である。
直方体（又は直方体に類似した形状）の誘電体ブロック７を構成する。説明の便宜上、
本図１（Ｂ）に示したように頂面、底面、側面、端面の呼称を定める。Ｘ−Ｙ面は無線通信機の回路基板面、Ｚは「アンテナが無線通信機から突出する方向」である。 
【００５３】
励振器本体１は折り曲げ平板状の導電性部材であって、誘電体ブロック７の底面と側面と頂面とに接している。これだけの構造であれば第３の原理を適用したデュアルな励振器本体（図６（Ａ））である。上記誘電体ブロック７を基板８の上に置くと、該励振器本体１の底部が誘電体ブロック７と基板８とに挟まれて、第１の原理を適用したデュアルな励振器（図２（Ａ））となる。
この図１の実施形態では、デュアルな１個の励振器本体１と２個の無給電素子とによって、マイクロアンテナデュアルを構成している。符号４Ｈは高い周波数の無給電素子、
符号４Ｌは低い周波数の無給電素子である。  
【００５４】
図７は、前掲の図１に示した実施形態に係るマイクロアンテナデュアルの同調特性を説明するための図表であって、（Ａ）は２．４ＧＨｚ付近のＶＳＷＲ、（Ｂ）は５．２ＧＨｚ付近のＶＳＷＲである。
前記実施形態のマイクロアンテナ（図１）が、２．４ＧＨｚにおいても５．２ＧＨｚにおいても優れた同調特性を有していることが分かる。
【００５５】
図８は前掲の図１と異なる実施形態における実体的な構成を描いた模式的な斜視図であって請求項１０に対応し、請求項２および請求項５を利用して構成されている。
符号７は誘電体ブロックである。
折り曲げ平板状の励振器本体１は、誘電体ブロック７の頂面に接する部分１Ｓと、誘電体ブロック７の中に埋設された部分１Ｗと、誘電体ブロック７の端面に接する部分１Ｓ′とから成っている。これを前掲の図４（Ａ）と対比してみると、第２の原理を利用したデュアルな励振器であることが理解される。 
【００５６】
無給電素子５も同様に第３の原理を用いて作られており、頂面に接する部分５Ｓと、埋設された部分５Ｗと、端面に接している部分５Ｓ′とから成っている。このような構成であるからデュアルな無給電素子であることが分かる。
以上要するに本図８の実施形態は、デュアルな励振器本体１とデュアルな無給電素子本体５との組み合わせから成るマイクロアンテナデュアルである。
このようにして、きわめて簡単な２個のアンテナエレメント（励振器と無給電素子）とによって２種類の波長の電波を送受信することができるという、優れた実用的な効果を奏し得た。
【００５７】
図９は本発明に係るマイクロアンテナデュアルを１個の商品として構成した状態を描いた外観斜視図であって、請求項１１に対応する。
誘電体ブロック７、励振器本体１、低い周波数の無給電素子４Ｌ、および高い周波数の無給電素子４Ｈは、前掲の図１に示した実施形態におけると同様の構成部分である。
上記の誘電体ブロック７に、取付板１２が固着されるとともに、励振器本体１に同軸ケーブル１１が接続されている。
以上のようなアッセンブリを構成しておくと、基板８に対し、取付ネジ１３を用いて迅速容易に装着することができ、かつ、同軸ケーブル１１を用いて迅速容易に無線機の高周波回路に接続することができる。
【００５８】
符号１０は基板８に形成された地板であり、１０ａは地板の切欠部である。
このようなアッセンブリは１個の独立した商品として市場流通性を有し、アンテナメーカーの分業化、発展に貢献するところ多大である。
本発明において独立したアッセンブリ部品とは、複数の構成部材が機械的に結合され、かつ電気的に、ある目的を達成するための機能を発揮し得るように作り上げられた組立品をいう。
一方、無線機メーカーは、アンテナ専門工場で製作された高品質のアンテナアッセンブリーの供給を受けることができるという恩恵を被る。  
【図面の簡単な説明】
【００５９】
【図１】本発明の１実施形態を示し、請求項１、請求項６、および請求項９の構成を具体化したものであり、（Ａ）は模式的に描いた斜視図であって請求項１０に対応し、（Ｂ）は誘電体ブロックの面の名称を表す斜視図。
【図２】本発明における第１の原理を示し、（Ａ）は模式的な断面正面図に２種類の周波数の電波の定在波を付記した図であって請求項１の発明方法に対応し、（Ｂ）は第１の原理を適用して構成した励振器を用いたデュアルバンドのアンテナ装置の模式図であって請求項６の発明装置に対応する。
【図３】前掲の図２と異なる実施形態を説明するために示したものであって、（Ａ）は比較対照のため図２（Ｂ）を再録した図、（Ｂ）は模式図であって請求項８の発明装置に対応する。
【図４】本発明における第２の原理を説明するために示したものであって、（Ａ）は基本構造を描いた模式図、（Ｂ）は実体的に描いた断面図、（Ｃ）は断面正面図に２種類の周波数の定在波を付記した図であって請求項５に対応する。
【図５】本発明における第２の原理を適用した実施形態を示し、（Ａ）はこの第２の原理を単独で使用した実施形態の模式図であって請求項７に対応し、（Ｂ）は該第２の原理と「前掲の図２に示した第１の原理」との両方を使用した実施形態の模式図、（Ｃ）は該第２の原理をダブルに使用した実施形態の模式図である。
【図６】本発明における第３の原理を説明するために示したもので、（Ａ）は２種類の波長の電波の定在波を付記した励振器の模式的な断面図であって請求項３に対応し、（Ｂ）はこの励振器を用いたデュアルアンテナの模式図。
【図７】前掲の図１に示した実施形態に係るマイクロアンテナデュアルの同調特性を説明するための図表であって、（Ａ）は２．４ＧＨｚ付近のＶＳＷＲ、（Ｂ）は５．２ＧＨｚ付近のＶＳＷＲである。
【図８】前掲の図１と異なる実施形態における実体的な構成を描いた模式的な斜視図であって請求項１０に対応しており、かつ請求項２および請求項５を利用して構成されている。
【図９】本発明に係るマイクロアンテナデュアルを１個の商品として構成した状態を描いた外観斜視図であって、請求項１１に対応する。
【符号の説明】
【００６０】
１…励振器本体
２…高周波回路
３Ａ…アンテナ側誘電体
３Ｇ…グランド側誘電体
３Ｔ…先端側誘電体
４Ｈ…高い周波数の無給電素子
４Ｌ…低い周波数の無給電素子
５…無給電素子本体 
５Ｓ…片面接触部分 
５Ｗ…両面接触（挟まれ）部分 
６Ｅ…素子側誘電体 
６Ｇ…グランド側誘電体 
７…誘電体ブロック 
８…基板 
９…可変誘電体 
１０…地板 
１０ａ…地板の切欠部 
１１…同軸ケーブル 
１２…取付板 
１３…取付ネジ 
【図１】
2005303849.tif 000003
【図２】
2005303849.tif 000004
【図３】
2005303849.tif 000005
【図４】
2005303849.tif 000006
【図５】
2005303849.tif 000007
【図６】
2005303849.tif 000008
【図７】
2005303849.tif 000009
【図８】
2005303849.tif 000010
【図９】
2005303849.tif 000011